(57)【要約】【課題】手袋を装着した状態で、指先まで外気から保護すると共に、必要な時に必要な分だけ簡単に指先を露出することのできる手袋を提供すること。【解決手段】親指以外の指まとめて覆うとともに、指先側の先端に、手袋を装着した状態で指を出し入れ可能な穴部を有する第１の部分と、親指を覆う第２の部分と、を有し、前記穴部の周囲の長さを、伸縮性のある素材を用いて、前記第１の部分の付け根における周囲の長さよりも短くなるように構成したことを特徴とする手袋。【選択図】図１
2018172834.tif 000002
【特許請求の範囲】
【請求項１】
親指以外の指をまとめて覆うとともに、指先側の先端に、手袋を装着した状態で指を出し入れ可能な穴部を有する第１の部分と、
親指を覆う第２の部分と、を有し、
前記穴部の周囲の長さを、伸縮性のある素材を用いて、前記第１の部分の付け根における周囲の長さよりも短くなるように構成したことを特徴とする手袋。
【請求項２】
さらに、前記第２の部分の指先側の先端に、手袋を装着した状態で指を出し入れ可能な第２の穴部を有し、当該第２の穴部の周囲の長さを、伸縮性のある素材を用いて、前記第２の部分の付け根における周囲の長さよりも短くなるように構成したことを特徴とする請求項１に記載の手袋。
【請求項３】
前記第１の部分のうち、前記穴部から付け根方向への少なくとも一部を、伸縮性のある素材で構成したことを特徴とする請求項１または２に記載の手袋。
【請求項４】
前記第１の部分のうち、前記穴部から付け根方向への少なくとも一部を、伸縮性のある編み方または織り方で生成したことを特徴とする請求項１または２に記載の手袋。
【発明の詳細な説明】
【技術分野】
【０００１】  本発明は手袋に関する。
【背景技術】
【０００２】  従来、特許文献１に開示されているように、指先の一部が露出するようにデザインされた手袋や、特許文献２に開示されているように、先端部が開口し、開口した部分から露出した指先をフードにより覆う手袋が提案されている。
【先行技術文献】
【特許文献】
【０００３】
【特許文献１】意匠登録第１５１０３４３号公報
【特許文献２】意匠登録第１３８３８８３号公報
【発明の概要】
【発明が解決しようとする課題】
【０００４】  しかしながら、特許文献１に記載された手袋では、指先の一部が常に露出しているため、露出した指先は常に外気にさらされ、冷えてしまう。また、特許文献２に記載された手袋では、フードの開け閉めに手間がかかるとともに、フードを開けた時に、フードが動作の邪魔になってしまうことがある。【０００５】  本発明は上記問題点を鑑みてなされたものであり、手袋を装着した状態で、指先まで外気から保護すると共に、必要な時に必要な分だけ簡単に指先を露出することのできる手袋を提供することを目的とする。
【課題を解決するための手段】
【０００６】  本発明の手袋は、親指以外の指まとめて覆うとともに、指先側の先端に、手袋を装着した状態で指を出し入れ可能な穴部を有する第１の部分と、親指を覆う第２の部分と、を有し、前記穴部の周囲の長さを、伸縮性のある素材を用いて、前記第１の部分の付け根における周囲の長さよりも短くなるように構成したことを特徴とする。
【発明の効果】
【０００７】  本発明によれば、手袋を装着した状態で、指先まで外気から保護すると共に、必要な時に必要な分だけ簡単に指先を露出することのできる手袋を提供することができる。
【図面の簡単な説明】
【０００８】
【図１】本願発明の手袋の一例を示す図である。
【発明を実施するための形態】
【０００９】  以下、添付図面を参照して本発明を実施するための形態を詳細に説明する。
【００１０】  図１（ａ）は、本実施形態における手袋の一例を示す図である。本実施形態における手袋は、いわゆるミトンタイプの手袋であって、親指以外の他の４本の指を覆うための第１の部分１００と、親指を覆うための第２の部分２００とを有する。
【００１１】  第１の部分１００と、第２の部分２００の指先側の先端部はそれぞれ開口しており、手袋を装着したまま、それぞれの開口部１０１，２０１から、自由に指を出し入れすることができる構成となっている。
【００１２】  また、開口部１０１，２０１は、例えば、ゴムなどの伸縮性を有する素材１０２，２０２により、第１の部分１００の付け根における周囲１１０の長さ、及び、第２の部分２００の付け根における周囲２１０の長さよりも、それぞれ狭くなるように構成されている。なお、伸縮性を有する素材１０２，２０２により、図１（ａ）に示すように、第１の部分１００及び第２の部分２００の端部を成すように構成してあっても、第１の部分１００及び第２の部分２００の端部に内包されるように構成してあっても構わない。つまり、収縮した状態で、開口部１０１，２０１の間口の広さを制限するように用いればよい。
【００１３】  上記構成することにより、本実施形態の手袋は、指を露出させない状態では指先まで外気から保護することができると共に、手袋を装着したまま、必要な時に必要な分だけ、簡単に開口部を介して自由に指を出し入れすることができる。したがって、例えば、スマートフォンのタッチパネルを操作する場合や、財布からお金を取り出すといった指先を用いる細かい作業を行う様々な場合などに、手袋をはめたまま、必要な分だけ簡単に手袋から指先を露出させて使うことが可能となる。
【００１４】  また、開口部１０１，２０１の間口を、伸縮性を有する素材１０２，２０２により狭めておくことで、外気の侵入を低減することができるとともに、図１（ｂ）に示すように開口部１０１、２０１から指を大きく露出させた時に、第１の部分１００及び第２の部分２００を所望の位置に保持しておくことができる。
【００１５】  また、第２の部分２００を親指以外の４本の指を覆うミトンタイプの構成としたことで、手袋を装着したまま、スムースに指を出し入れすることができる。
【００１６】  なお、外気の侵入を低減するために、開口部１０１，２０１の間口を、例えば、間口と同じ長さのゴムひもで狭めると、図１（ｂ）に示すように指を大きく露出させた時に、ゴムひもにより指及び掌が強く圧迫されてしまい、使用感が悪い。逆に、圧迫感を低減するために開口部１０２，２０２の間口を広くすると、外気の侵入が大きくなってしまう。そこで、素材１０２，２０２を、伸縮性のある素材を伸縮性のある編み方や織り方で生成することで、間口を狭くするとともに、図１（ｂ）に示すように指を露出させた時の圧迫感を低減することができる。
【００１７】  また、上述した例では、親指を覆う第１の部分１００にも開口部を有する場合について説明したが、第１の部分１００の開口部は無くても構わない。
【００１８】  さらに、開口部１０１，２０１から付け根方向に向かって、少なくとも一部の端部領域を、それ以外の領域よりも伸縮性のある素材、及び／または、編み方や織り方などで伸縮するように生成することにより、より指先にフィットした手袋とすることができるとともに、外気の侵入をより低減することができる。その場合、素材１０２を用いて端部領域を構成しても良い。
【００１９】  なお、上述した説明では、第１の部分１００及び第２の部分２００が、指を完全に覆うものとして説明したが、手の大きさには個人差があり、手が大きい場合には指を完全に覆うことができないこともあると考えられる。そのような場合であっても、図１（ｂ）に示すように指を露出させた場合の利便性を享受することができるとともに、第１の部分１００及び第２の部分２００を伸ばした場合には、十分に広い範囲で指を覆うことができる。
【符号の説明】
【００２０】  １００：第１の部分、２００：第２の部分、１０１，２０１：開口部、１０２，２０２：伸縮性を有する素材、１１０，２１０：周囲
【図１】
2018172834.tif 000003